(57)【要約】【課題】誤放電を生じることなく、コントラストの高い、発光効率のよいプラズマディスプレイパネルの駆動方法を提供する。【解決手段】走査電極および維持電極とデータ電極との交差部に放電セルを形成してなるプラズマディスプレイパネルの駆動方法であって、１フィールド期間が放電セルに選択的に書込み放電を発生させる書込み期間と、書込み期間において書込み放電の発生した放電セルを所定の輝度重みで発光させるための維持放電を発生させる維持期間とをそれぞれ有する複数のサブフィールドから構成され、複数のサブフィールドの少なくとも１つは、維持期間が、データ電極Ｄ１〜Ｄｍをハイ・インピーダンス状態として維持放電を発生させる第１維持期間と、データ電極Ｄ１〜Ｄｍをロー・インピーダンス状態として維持放電を発生させる第２維持期間とを有する。【選択図】図４
2007078945.tif 000002
【特許請求の範囲】
【請求項１】
走査電極および維持電極とデータ電極との交差部に放電セルを形成してなるプラズマディスプレイパネルの駆動方法であって、
１フィールド期間は、前記放電セルに選択的に書込み放電を発生させる書込み期間と、前記書込み期間において前記書込み放電の発生した放電セルを所定の輝度重みで発光させるための維持放電を発生させる維持期間とをそれぞれ有する複数のサブフィールドから構成され、
前記複数のサブフィールドの少なくとも１つは、前記維持期間が、前記データ電極をハイ・インピーダンス状態として前記維持放電を発生させる第１維持期間と、前記データ電極をロー・インピーダンス状態として前記維持放電を発生させる第２維持期間とを有することを特徴とするプラズマディスプレイパネルの駆動方法。
【請求項２】
直前のサブフィールドで維持放電を発生した放電セルで選択的に初期化放電を発生させる初期化期間を備えたサブフィールドに対し、その直前のサブフィールドの維持期間において最後の維持放電を発生させる期間は前記第２維持期間であることを特徴とする請求項１に記載のプラズマディスプレイパネルの駆動方法。
【請求項３】
前記第２維持期間において前記データ電極を接地電位とすることによりロー・インピーダンス状態とすることを特徴とする請求項１または請求項２に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線で赤、緑、青各色の蛍光体を励起発光させてカラー表示を行っている。
【０００３】
パネルを駆動する方法としてはサブフィールド法が用いられている。これは、１フィールド期間を複数のサブフィールドに分割し、それぞれのサブフィールドで各放電セルを発光、非発光制御することにより階調表示を行う方法である。そして、サブフィールドのそれぞれは、初期化期間、書込み期間および維持期間を有する。初期化期間では、放電セルで初期化放電を行い、続く書込み動作のために必要な壁電荷を形成する。書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。続く維持期間では、表示輝度に応じた所定の回数の維持パルスを走査電極と維持電極との間に印加し、書込み放電による壁電荷形成を行った放電セルを選択的に放電させ発光させる。
【０００４】
このようなサブフィールド法の中でも、階調表示に関係しない発光を極力減らしてコントラスト比を向上させるための新規な駆動方法が特許文献１に開示されている。特許文献１によれば、初期化期間において全ての放電セルに対して初期化動作を行うサブフィールド（以下、「全セル初期化ＳＦ」と略記する）を減らし、直前のサブフィールドの維持期間で維持動作を行った放電セルに対して選択的に初期化動作を行うサブフィールド（以下、「選択初期化ＳＦ」と略記する）を増やすことにより、階調表示に関係しない発光を極力減らしてコントラスト比を向上することができる。
【０００５】
また、パネルの発光効率を向上し、かつ発光の輝度も向上することができる新規な駆動方法が特許文献２に開示されている。特許文献２によれば、維持期間においてデータ電極をフローティング状態、すなわちハイ・インピーダンス状態にすることにより、表示電極とデータ電極間の無用な放電を抑えることができる。そして、表示電極間でのみ放電が起こるため、発光効率および輝度を高めることができ、かつ放電のちらつきを抑えることができる。
【特許文献１】特開２０００−２４２２２４号公報
【特許文献２】特開２０００−２４２２２３号公報
【発明の開示】
【発明が解決しようとする課題】
【０００６】
しかしながら、特許文献１に記載のコントラスト比を向上した駆動方法と、特許文献２に記載の発光効率を向上した駆動方法を単純に組み合わせてパネルを駆動すると、維持放電を行った放電セルに対して選択的に初期化放電を行う初期化動作が不安定になり、誤放電を生じるなど画像表示品質が劣化するという問題があった。
【０００７】
本発明のパネルの駆動方法は、これらの課題に鑑みなされたものであり、誤放電を生じることなく、コントラストの高い、発光効率のよいパネルの駆動方法を提供することを目的とする。
【課題を解決するための手段】
【０００８】
本発明は、走査電極および維持電極とデータ電極との交差部に放電セルを形成してなるパネルの駆動方法であって、１フィールド期間が放電セルに選択的に書込み放電を発生させる書込み期間と、書込み期間において書込み放電の発生した放電セルを所定の輝度重みで発光させるための維持放電を発生させる維持期間とをそれぞれ有する複数のサブフィールドから構成され、複数のサブフィールドの少なくとも１つは、維持期間が、データ電極をハイ・インピーダンス状態として維持放電を発生させる第１維持期間と、データ電極をロー・インピーダンス状態として維持放電を発生させる第２維持期間とを有することを特徴とする。この方法により、誤放電を生じることなく、コントラストの高い、発光効率のよいパネルの駆動方法を提供することができる。
【０００９】
また本発明のパネルの駆動方法は、直前のサブフィールドで維持放電を発生した放電セルで選択的に初期化放電を発生させる初期化期間を備えたサブフィールドに対し、その直前のサブフィールドの維持期間において最後の維持放電を発生させる期間は第２維持期間であることが望ましい。この方法により、選択的な初期化放電を確実に発生させることができる。
【００１０】
また本発明のパネルの駆動方法は、第２維持期間においてデータ電極を接地電位とすることによりロー・インピーダンス状態としてもよい。この方法により新たな電源を設けることなくデータ電極をロー・インピーダンス状態とすることができる。
【発明の効果】
【００１１】
本発明によれば、誤放電を生じることなく、コントラストの高い、発光効率のよいパネルの駆動方法を提供することが可能となる。
【発明を実施するための最良の形態】
【００１２】
以下、本発明の実施の形態におけるパネルの駆動方法について、図面を用いて説明する。
【００１３】
（実施の形態１）
図１は本発明の実施の形態１に用いるパネルの要部を示す分解斜視図である。パネル１０は、ガラス製の前面基板２１と背面基板３１とを対向配置して、その間に放電空間を形成するように構成されている。前面基板２１上には表示電極を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には絶縁体層３３で覆われた複数のデータ電極３２が設けられ、絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１４】
図２は本実施の形態におけるパネルの電極配列図である。行方向にｎ本の走査電極ＳＣ１〜ＳＣｎ（図１の走査電極２２）およびｎ本の維持電極ＳＵ１〜ＳＵｎ（図１の維持電極２３）が配列され、列方向にｍ本のデータ電極Ｄ１〜Ｄｍ（図１のデータ電極３２）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１５】
図３は本実施の形態におけるパネルの駆動方法を実施するプラズマディスプレイ装置の回路ブロック図である。このプラズマディスプレイ装置は、パネル１０、画像信号処理回路５１、データ電極駆動回路５２、走査電極駆動回路５３、維持電極駆動回路５４、タイミング発生回路５５および電源回路（図示せず）を備えている。画像信号処理回路５１は画像信号ｓｉｇをパネル１０の画素数に応じた画像データに変換し、各画素の画像データを複数のサブフィールドに対応する複数のビットに分割しデータ電極駆動回路５２に出力する。データ電極駆動回路５２はサブフィールド毎の画像データを各データ電極Ｄ１〜Ｄｍに対応する信号に変換し各データ電極Ｄ１〜Ｄｍを駆動する。また、データ電極駆動回路５２は各データ電極Ｄ１〜Ｄｍに対応する出力を必要に応じてハイ・インピーダンス状態に設定することができる。タイミング発生回路５５は水平同期信号Ｈおよび垂直同期信号Ｖをもとにしてタイミング信号を発生し、各々の駆動回路ブロックへ供給する。走査電極駆動回路５３はタイミング信号に基づいて走査電極ＳＣ１〜ＳＣｎに駆動波形を供給し、維持電極駆動回路５４はタイミング信号に基づいて維持電極ＳＵ１〜ＳＵｎに駆動波形を供給する。
【００１６】
次に、パネルを駆動するための駆動電圧波形とその動作について説明する。本実施の形態においては、１フィールドを１０のサブフィールド（第１ＳＦ、第２ＳＦ、・・・、第１０ＳＦ）に分割し、第１ＳＦは全セル初期化ＳＦ、第２ＳＦ以降は選択初期化ＳＦであるものとして説明する。ただし、本発明はサブフィールドの構成が上記に限定されるものではなく、選択初期化ＳＦを有するサブフィールド構成であれば適用することができる。また、説明のために、各サブフィールドの維持期間が第１維持期間と第２維持期間とから構成されているものとする。
【００１７】
図４は本実施の形態におけるパネルの各電極に印加する駆動電圧波形を示す図である。
【００１８】
第１ＳＦの初期化期間では、まずその前半部において、データ電極Ｄ１〜Ｄｍおよび維持電極ＳＵ１〜ＳＵｎを０Ｖに保持し、走査電極ＳＣ１〜ＳＣｎに対して放電開始電圧以下となる電圧Ｖｉ１から放電開始電圧を超える電圧Ｖｉ２に向かって緩やかに上昇するランプ電圧を印加する。すると、全ての放電セルにおいて微弱な初期化放電を起こし、走査電極ＳＣ１〜ＳＣｎ上に負の壁電圧が蓄積され、維持電極ＳＵ１〜ＳＵｎおよびデータ電極Ｄ１〜Ｄｍ上に正の壁電圧が蓄積される。ここで、電極上の壁電圧とは電極を覆う誘電体層上や蛍光体層上などに蓄積した壁電荷により生じる電圧を指す。
【００１９】
続いて初期化期間の後半部において、維持電極ＳＵ１〜ＳＵｎを正の電圧Ｖｅ１に保ち、走査電極ＳＣ１〜ＳＣｎに電圧Ｖｉ３から電圧Ｖｉ４に向かって緩やかに下降するランプ電圧を印加する。すると、全ての放電セルにおいて再び微弱な初期化放電を起こし、走査電極ＳＣ１〜ＳＣｎおよび維持電極ＳＵ１〜ＳＵｎ上の壁電圧が弱められ、データ電極Ｄ１〜Ｄｍ上の正の壁電圧が書込み動作に適した値に調整される。
【００２０】
このように本実施の形態の第１ＳＦは、初期化期間において全ての放電セルに対して初期化動作を行う全セル初期化ＳＦである。
【００２１】
続く書込み期間では、一旦走査電極ＳＣ１〜ＳＣｎに電圧Ｖｃを印加し維持電極ＳＵ１〜ＳＵｎに電圧Ｖｅ２を印加する。次に、１行目の走査電極ＳＣ１に負の走査パルス電圧Ｖａを印加するとともに、データ電極Ｄ１〜Ｄｍのうち１行目に発光すべき放電セルのデータ電極Ｄｋ（ｋ＝１〜ｍ）に正の書込みパルス電圧Ｖｄを印加する。すると、データ電極Ｄｋと走査電極ＳＣ１との間および維持電極ＳＵ１と走査電極ＳＣ１との間に書込み放電が起こり、この放電セルの走査電極ＳＣ１上に正の壁電圧、維持電極ＳＵ１上に負の壁電圧が蓄積される。このようにして、１行目に発光すべき放電セルで書込み放電を起こして各電極上に壁電圧を蓄積する書込み動作が行われる。一方、書込みパルス電圧Ｖｄを印加しなかったデータ電極Ｄｈ（ｈ≠ｋ）と走査電極ＳＣ１との交差部では書込み放電は発生しない。以上の書込み動作をｎ行目の放電セルに至るまで順次行い、書込み期間が終了する。
【００２２】
続く第１維持期間では、データ電極Ｄ１〜Ｄｍをハイ・インピーダンス状態とする。そして維持電極ＳＵ１〜ＳＵｎを０Ｖに戻し、走査電極ＳＣ１〜ＳＣｎに維持パルス電圧Ｖｓを印加する。図４にはデータ電極Ｄ１〜Ｄｍのハイ・インピーダンス状態を破線で示している。このとき書込み放電を起こした放電セルにおいては、走査電極ＳＣｉ上と維持電極ＳＵｉ上との間の電圧は維持パルス電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり発光する。このとき走査電極ＳＣｉ上に負の壁電圧が蓄積され、維持電極ＳＵｉ上に正の壁電圧が蓄積される。続いて走査電極ＳＣ１〜ＳＣｎを０Ｖに戻し、維持電極ＳＵ１〜ＳＵｎに維持パルス電圧Ｖｓを印加する。すると、維持放電を起こした放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに、表示輝度に応じて維持パルスを印加することにより、書込み期間において書込み放電を起こした放電セルでは維持放電が継続して行われる。なお、書込み期間において書込み放電が起きなかった放電セルでは維持放電は発生せず、初期化期間の終了時における壁電圧が保持される。
【００２３】
次に、第２維持期間では、データ電極Ｄ１〜Ｄｍを０Ｖに保持することによりロー・インピーダンス状態とする。そして維持電極ＳＵ１〜ＳＵｎを０Ｖに戻し、走査電極ＳＣ１〜ＳＣｎに維持パルス電圧Ｖｓを印加する。すると第１維持期間で維持放電を起こした放電セルでは引続き維持放電が発生し、走査電極ＳＣｉと維持電極ＳＵｉとの間に維持放電が起こるとともに、データ電極Ｄｋ上に正の壁電圧が蓄積する。こうして維持期間における維持動作が終了する。
【００２４】
このように維持期間は、データ電極Ｄ１〜Ｄｍをハイ・インピーダンス状態として維持放電を発生させる第１維持期間と、データ電極Ｄ１〜Ｄｍをロー・インピーダンス状態として維持放電を発生させる第２維持期間とを備えている。そして第１維持期間と第２維持期間とで発生する維持放電により、表示輝度に応じた所定の回数の維持パルスを走査電極ＳＣ１〜ＳＣｎと維持電極ＳＵ１〜ＳＵｎとの間に印加し、書込み放電による壁電荷形成を行った放電セルを選択的に放電させ発光させる。このとき第２維持期間では、そのサブフィールドの維持期間に発生させるべき維持放電のうち、少なくとも最後の維持放電を発生させてデータ電極Ｄｋ上に正の壁電圧を蓄積する。ここで蓄積された壁電圧は、続く選択初期化ＳＦの初期化期間において初期化動作を行うために必要な壁電圧である。ここで、ロー・インピーダンス状態とするためにデータ電極Ｄ１〜Ｄｍに印加する電圧は、データ電極Ｄｋ上に十分な正の壁電圧を蓄積することができる電圧であればよい。本実施の形態においては、接地電位、すなわち０Ｖに保持することにより、新たな電源を設けることなくデータ電極Ｄ１〜Ｄｍをロー・インピーダンス状態としている。
【００２５】
第２ＳＦの初期化期間では、維持電極ＳＵ１〜ＳＵｎを電圧Ｖｅ１に、データ電極Ｄ１〜Ｄｍを０Ｖにそれぞれ保持し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を行った放電セルでは微弱な初期化放電が発生し、走査電極ＳＣｉ上および維持電極ＳＵｉ上の壁電圧が弱められる。またデータ電極Ｄｋに対しては、直前の維持期間のうち第２維持期間においてデータ電極Ｄｋ上に正の壁電圧が十分に蓄積されているので、この壁電圧の過剰な部分が放電され、書込み動作に適した壁電圧に調整される。一方、前のサブフィールドで書込み放電および維持放電を行わなかった放電セルについては放電することはなく、前のサブフィールドの初期化期間終了時における壁電荷がそのまま保たれる。このように第２ＳＦは、直前のサブフィールドの維持期間で維持動作を行った放電セルに対して選択的に初期化動作を行う選択初期化ＳＦである。そして、その直前のサブフィールドの維持期間において最後の維持放電を発生させる期間が第２維持期間であるので、選択初期化放電を確実に発生させることができる。
【００２６】
第２ＳＦの書込み期間の動作は第１ＳＦと同様であるため説明を省略する。続く維持期間の動作も第１ＳＦと同様に、第１維持期間においてはデータ電極Ｄ１〜Ｄｍをハイ・インピーダンス状態にして維持放電を発生し、第２維持期間においてはデータ電極Ｄ１〜Ｄｍを０Ｖに保持して維持放電を発生させる。続く第３ＳＦ〜第１０ＳＦにおいても、第２ＳＦと同様の動作を行う。
【００２７】
なお、あるサブフィールドの維持期間において表示電極間に印加する維持パルスの回数がそのサブフィールドの第２維持期間における維持パルスの回数よりも多くない場合には、そのサブフィールドにおいて第１の維持期間を設ける必要はない。したがって本実施の形態においては、表示電極間に印加する維持パルスの回数が１回のサブフィールドでは第１維持期間を設ける必要はなく、すなわちデータ電極Ｄ１〜Ｄｍをハイ・インピーダンス状態にすることなくロー・インピーダンス状態に保持したまま維持動作を行えばよい。
【００２８】
次に、第１維持期間ではデータ電極Ｄ１〜Ｄｍをハイ・インピーダンス状態に保ちながら維持放電を発生させ、第２維持期間ではデータ電極Ｄ１〜Ｄｍをロー・インピーダンス状態に保持して維持放電を発生させる理由について説明する。維持期間においてデータ電極Ｄ１〜Ｄｍをハイ・インピーダンス状態に保つことにより発光効率および輝度が向上する点については、特許文献２にも記載されているように、不要な放電を抑え表示電極間で維持放電が発生するためであると考えられる。加えて走査電極駆動回路５３、維持電極駆動回路５４の負荷を軽くする効果もある。以下、この効果について説明する。
【００２９】
図５は、表示電極に維持パルスを印加する際の、走査電極ＳＣ１〜ＳＣｎ、維持電極ＳＵ１〜ＳＵｎ、データ電極Ｄ１〜Ｄｍ間の電極容量の等価回路を示す図であり、図５（ａ）に示すように、走査電極ＳＣ１〜ＳＣｎと維持電極ＳＵ１〜ＳＵｎとの間には容量Ｃ１、走査電極ＳＣ１〜ＳＣｎとデータ電極Ｄ１〜Ｄｍとの間に容量Ｃ２、維持電極ＳＵ１〜ＳＵｎとデータ電極Ｄ１〜Ｄｍとの間にも容量Ｃ２を持っている。走査電極駆動回路５３側から見ると走査電極ＳＣ１〜ＳＣｎは維持電極ＳＵ１〜ＳＵｎとデータ電極Ｄ１〜Ｄｍとの合成容量を持つ容量性の負荷である。したがって走査電極ＳＣ１〜ＳＣｎに駆動波形を印加するためにはこの容量を充放電しなければならない。維持電極ＳＵ１〜ＳＵｎについても同様に走査電極ＳＣ１〜ＳＣｎとデータ電極Ｄ１〜Ｄｍとの合成容量を持つ容量性の負荷であり、維持電極ＳＵ１〜ＳＵｎに駆動波形を印加するためにはこの容量を充放電しなければならない。
【００３０】
このとき、図５（ｂ）に示したように、データ電極Ｄ１〜Ｄｍをロー・インピーダンス状態に固定したときの走査電極ＳＣ１〜ＳＣｎ側から見た負荷容量は等価的に容量Ｃ１＋Ｃ２となる。一方、図５（ｃ）に示したようにデータ電極Ｄ１〜Ｄｍをハイ・インピーダンス状態にすると、走査電極ＳＣ１〜ＳＣｎ側から見た負荷容量は等価的にＣ１＋Ｃ２／２となる。このように、データ電極Ｄ１〜Ｄｍをハイ・インピーダンス状態にすることにより走査電極ＳＣ１〜ＳＣｎ側から見た負荷容量を小さくすることができる。例えば４２インチサイズの電極間容量の測定では、４２インチパネルの測定例ではＣ１＝９７ｎＦ、Ｃ２＝４６ｎＦである。したがって本実施の形態においては走査電極ＳＣ１〜ＳＣｎ側から見た負荷容量はＣ１＋Ｃ２／２＝１２０ｎＦとなり、データ電極Ｄ１〜Ｄｍをロー・インピーダンス状態、例えば０Ｖに固定したときの走査電極ＳＣ１〜ＳＣｎ側から見た負荷容量Ｃ１＋Ｃ２＝１４３ｎＦと比較すると、負荷容量が１６％低下することが分かる。その分、充放電のための電力を削減することができる。実際、走査電極駆動回路５３および維持電極駆動回路５４の無効電力が６％低下したことを測定によって確認することができた。
【００３１】
一方、コントラストを向上するためには、選択初期化動作を行う選択初期化ＳＦを増やせばよい。選択初期化動作を行うためには特許文献１に記載されているように、それぞれのサブフィールドの初期化期間における初期化動作の一部を直前のサブフィールドの維持期間における維持動作と同時に行わせる、すなわち維持放電と同時にデータ電極Ｄｋ上に十分な正の壁電圧を蓄積させなければならない。そのためには、少なくとも維持期間の最後の維持放電時にデータ電極Ｄ１〜Ｄｍに低い電圧を印加する必要がある。
【００３２】
本実施の形態においては第２維持期間においてデータ電極Ｄ１〜Ｄｍを電圧０Ｖに固定する。そして、一方の表示電極に電圧Ｖｓを印加し、もう一方の表示電極に電圧０Ｖを印加して維持放電を発生させると、放電空間の電界を緩和するように壁電圧が蓄積されるため、データ電極Ｄｋ上には電圧Ｖｓ／２の程度の正の壁電圧が蓄積されることになる。この壁電圧の値は次のサブフィールドの書込み期間における書込み動作に必要な壁電圧より高い電圧であるので、続く選択初期化ＳＦの初期化期間において書込み動作に適した壁電圧に調整される。
【００３３】
このように本実施の形態では、第１維持期間においてデータ電極Ｄ１〜Ｄｍをハイ・インピーダンス状態として維持放電を発生させ、続く第２維持期間においてデータ電極Ｄ１〜Ｄｍをロー・インピーダンス状態に保持して維持放電を発生させることにより、誤放電を生じることなく、コントラストの高い、かつ発光効率のよいパネルの駆動方法を実現している。
【００３４】
なお、本実施の形態においては、各サブフィールドの維持期間における最後の維持放電を発生させる期間を第２維持期間としたが、本発明はこれに限定されるものではなく、最後の維持放電を含むいくつかの維持放電を発生させる期間を第２維持期間としてもよい。
【００３５】
（実施の形態２）
図６は本発明の実施の形態２におけるパネルの各電極に印加する駆動電圧波形を示す図であり、最後の維持放電を含む３つの維持放電を発生させる期間を第２維持期間とした例である。
【００３６】
第１維持期間では、データ電極Ｄ１〜Ｄｍをハイ・インピーダンス状態とする。そして走査電極ＳＣ１〜ＳＣｎと維持電極ＳＵ１〜ＳＵｎとに必要な回数の維持パルスを交互に印加することにより、書込み期間において書込み放電を起こした放電セルでは維持放電が継続して行われる。
【００３７】
第２維持期間では、データ電極Ｄ１〜Ｄｍをロー・インピーダンス状態である０Ｖに保持する。そして維持電極ＳＵ１〜ＳＵｎを０Ｖに戻し走査電極ＳＣ１〜ＳＣｎに維持パルス電圧Ｖｓを印加し、次に走査電極ＳＣ１〜ＳＣｎを０Ｖに戻し維持電極ＳＵ１〜ＳＵｎに維持パルス電圧Ｖｓを印加し、さらに維持電極ＳＵ１〜ＳＵｎを０Ｖに戻し走査電極ＳＣ１〜ＳＣｎに維持パルス電圧Ｖｓを印加する。こうして第１維持期間に維持放電を発生した放電セルで引続き３回の維持放電を発生させる。
【００３８】
このように第２維持期間における維持放電の回数を増やすことで、より確実にデータ電極Ｄｋ上に正の壁電圧を蓄積させることができる。
【００３９】
なお、あるサブフィールドの維持期間において表示電極間に印加する維持パルスの回数がそのサブフィールドの第２維持期間における維持パルスの回数よりも多くない場合には、そのサブフィールドにおいて第１の維持期間を設ける必要はない。したがって本実施の形態においては、表示電極間に印加する維持パルスの回数が３回以下のサブフィールドでは第１維持期間を設ける必要はなく、すなわちデータ電極Ｄ１〜Ｄｍをハイ・インピーダンス状態にすることなくロー・インピーダンス状態に保持したまま維持動作を行えばよい。
【産業上の利用可能性】
【００４０】
本発明は、誤放電を生じることなく、コントラストの高い、発光効率のよいパネルの駆動方法を提供することができるので、プラズマディスプレイパネルの駆動方法として有用である。
【図面の簡単な説明】
【００４１】
【図１】本発明の実施の形態１に用いるパネルの要部を示す分解斜視図
【図２】同パネルの電極配列図
【図３】同パネルの駆動方法を実施するプラズマディスプレイ装置の回路ブロック図
【図４】同パネルの各電極に印加する駆動電圧波形を示す図
【図５】同パネルの各電極間の等価回路を示す図
【図６】本発明の実施の形態２におけるパネルの各電極に印加する駆動電圧波形を示す図
【符号の説明】
【００４２】
１０    パネル
２２    走査電極
２３    維持電極
３２    データ電極
５１    画像信号処理回路
５２    データ電極駆動回路
５３    走査電極駆動回路
５４    維持電極駆動回路
５５    タイミング発生回路
【図１】
2007078945.tif 000003
【図２】
2007078945.tif 000004
【図３】
2007078945.tif 000005
【図４】
2007078945.tif 000006
【図５】
2007078945.tif 000007
【図６】
2007078945.tif 000008